(57)【要約】【課題】  既設水回り設備を取り替える必要がなく、既設水回り設備を利用したまま、しかも、簡単な構造で容易に取り付けることができる、人体支持装置を提供することを目的とする。【解決手段】  人体を支持する支持部と、支持部を設けた横枠部と、横枠部に連結した縦枠部とを有する人体支持装置であって、縦枠部は、既設の水回り設備の扉部又は引き出し部と隣り合う他の扉部又は引き出し部との間隙に収まる前片部と、既設水回り設備内部の縦支持板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入することにより取り付けることを特徴とする人体支持装置。【選択図】        図１
2007282647.tif 000002
【特許請求の範囲】
【請求項１】
人体を支持する支持部と、支持部を設けた横枠部と、横枠部に連結する縦枠部とを有する人体支持装置であって、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入することにより取り付けることを特徴とする人体支持装置。
【請求項２】
人体を支持する支持部と、支持部を設けた横枠部と、横枠部に連結する縦枠部と、縦枠部に連結する下枠部と、床面に載置する踏板部とを有する人体支持装置であって、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入し、下枠部を既設の水回り設備の扉部又は引き出し部の下面と床面との間に設置することにより取り付けることを特徴とする人体支持装置。
【請求項３】
人体を支持する支持部と、支持部を設けた横枠部と、横枠部に連結する縦枠部と、縦枠部に連結する下枠部と、床面に載置する踏板部とを有する人体支持装置であって、支持部は上下方向に移動可能であり、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる回動片を有する後片部とを有し、前片部を既設水回り設備の扉部又は引き出し部と他の扉部又は引き出し部との間隙に挿入すると共に、回動片を既設水回り設備内部の縦板の前面と扉部又は引き出し部の後面との間隙に挿入し、下枠部を既設の水回り設備の扉部又は引き出し部の下面と床面との間に設置することにより取り付けることを特徴とする人体支持装置。
【発明の詳細な説明】
【技術分野】
【０００１】
本発明は流し台又は洗面化粧台などの水回り設備に使用する人体支持装置に関する。
【背景技術】
【０００２】
従来、流し台での作業時に使用する人体の支持装置として、特許文献１のようなものが存在する。
【特許文献１】特開２００３−０３８２７０号公報
【発明の開示】
【発明が解決しようとする課題】
【０００３】
しかし、かかる人体支持機能を有する水回り設備を採用しようとすれば、通常、既設の水回り設備自体（人体保持機能を有さない水回り設備）を取り外し、新規な水回り設備と取り替える必要があるか、あるいは、現実的ではない大幅な改造を要する。
【０００４】
そこで、本発明は、既設水回り設備を取り替える必要がなく、既設水回り設備を利用したまま、しかも、簡単な構造で容易に取り付けることができる、人体支持装置を提供することを目的とする。
【課題を解決するための手段】
【０００５】
本発明は、人体を支持する支持部と、支持部を設けた横枠部と、横枠部に連結する縦枠部とを有する人体支持装置であって、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入することにより取り付けることを特徴とする人体支持装置である。
【０００６】
また、本発明は、人体を支持する支持部と、支持部を設けた横枠部と、横枠部に連結する縦枠部と、縦枠部に連結する下枠部と、床面に載置する踏板部とを有する人体支持装置であって、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入し、下枠部を既設の水回り設備の扉部又は引き出し部の下面と床面との間に設置することにより取り付けることを特徴とする人体支持装置である。
【０００７】
また、本発明は、人体を支持する支持部と、支持部を設けた横枠部と、横枠部に連結する縦枠部と、縦枠部に連結する下枠部と、床面に載置する踏板部とを有する人体支持装置であって、支持部は上下方向に移動可能であり、縦枠部は、既設の水回り設備の扉部又は引き出し部と隣り合う他の扉部又は引き出し部との間隙に収まる前片部と、既設水回り設備内部の縦板の前面と扉部又は引き出し部の後面との間隙に収まる回動片を有する後片部とを有し、前片部を既設水回り設備の扉部又は引き出し部と他の扉部又は引き出し部との間隙に挿入すると共に、回動片を既設水回り設備内部の縦板の前面と扉部又は引き出し部の後面との間隙に挿入し、下枠部を既設の水回り設備の扉部又は引き出し部の下面と床面との間に設置することにより取り付けることを特徴とする人体支持装置である。
【０００８】
本発明の人体支持装置は、既設水回り設備（流し台や洗面化粧台等）に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することによって、人体支持装置を既設水回り設備に取り付けることを特徴とする。
【０００９】
また、本発明の人体支持装置は、既設水回り設備に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することに加え、さらに、扉部等と床面との間に生じる間隙を利用し、扉部等と床面との間に下枠部を設置することによって、人体支持装置を既設水回り設備に取り付けることを特徴とする。
【００１０】
具体的には、縦枠部の前片部が、縦枠部の左右方向の移動を妨げ、人体保持装置を既設水回り設備に保持する。つまり、縦枠部の左右移動は、前片部の側面と扉部等の側面とが当接することによって阻止され、人体保持装置は既設水回り設備に保持される。
【００１１】
また、後片部が、既設水回り設備の扉部等と、既設水回り設備内部の縦板の前面との間隙に挿入されることにより、縦枠部の前後方向の移動が妨げられ、人体保持装置は既設水回り設備によりしっかりと保持される。つまり、縦枠部の後方移動は、後片部と既設水回り設備内部の縦板の前面とが当接することによって阻止され、縦枠部の前方移動は、後片部と扉部の後面とが当接することによって阻止され、人体保持装置は既設水回り設備によりしっかりと保持されるのである。
【００１２】
そして、後片部に回動片を備えるとき、回動片を垂直に向けた状態、即ち左右幅が小さな状態にすると、既設水回り装置の扉部等と他の扉部等との間に生じる間隙に挿入する際、既設水回り装置の前方からそのまま挿入できる。挿入後は、回動片を水平に向けた状態、即ち左右幅が大きな状態にできるので、回動片は既設水回り設備の扉部等と既設水回り設備内部の縦板の前面との間隙に挿入されることにより、縦枠部の前後方向の移動が妨げられ、人体保持装置を既設水回り設備に保持する。
【００１３】
また、下枠部の底面に取り付けられ踏板部に作業者の自重がかかるので、この意味においても安定的に人体保持装置が既設水回り設備に保持される。
【発明の効果】
【００１４】
本発明は、既設水回り設備（流し台や洗面化粧台）自体を取り外して取り替える必要がなく、既設水回り設備のそのまま利用して、（人体支持機能がない）既設水回り設備に対して人体保持機能を付加することができ、しかも、扉部等と他の扉部等との間隙に挿入することによりその状態を保持するので、既設の水回り設備に特別な加工を施す必要がなく、取り付けが容易であるという特有の効果を奏する。
【発明を実施するための最良の形態】
【００１５】
以下、本発明を実施するための最良の形態を、実施例として示す各図と共に説明する。
【実施例１】
【００１６】
実施例１に係る人体支持装置を図１〜６に示す。なお、図６は洗面化粧台を対象とした場合を示す。
【００１７】
本実施例の人体支持装置は、人体を支持する支持部と、支持部を設けた横枠部と、横枠部と上下に対向する下枠部と、横枠部および下枠部と連結する左右一対の縦枠部と、下枠部に連結し床面に載置される踏板部とを有する。以下、各構成要素について説明する。
【００１８】
（支持部について）
支持部は、水回り設備で作業をする人の腹部等を支持するものである。
本実施例の支持部は、基部１０と、人体を直接的に支持する前板部２０と、基部１０と前板部２０を連結する連結部３０とを有する。
支持部は、横枠部の横棒部５１に対して横方向に移動可能に取り付け、且つ、横棒部５１に対して上下方向に移動可能に取り付ける。
【００１９】
（基部１０）
基部１０は、横枠部の横棒部５１に対して、横棒部５１の外周面を横方向に摺動するように取り付ける。基部１０は、内周部１２と外周部１３とを有する。内周部１２は、略円筒状（パイプ状）の部材であり、内回りを防止する凹部１２ｂを有する。凹部１２ｂには横棒部５１の凸部が嵌合している。また、内周部１２は外方向に突出した突部１２ａを有する。
他方、外周部１３は略円筒状（パイプ状）の部材であり、切り欠き部１３ａを有する。外周部１３の切り欠き部１３ａ内に内周部１２の突部１２ａが位置する。
切り欠き部１３ａは端面１３ｂと端面１３ｃを有し、端面１３ｂから端面１３ｃまでの所定間隔１３ｄを形成する。この所定間隔１３ｄは、外周部１３の回動可能距離を制御する。外周部１３が図中反時計回りに回動して所定の回動角度に達すると、端面１３ｂが内周部１２の突部１２ａに当接して、外周部１３の回動を停止する。逆に、外周部１３が図中時計回りに回動して所定の回動角度に達すると端面１３ｃが内周部１２の突部１２ａに当接して、外周部１３の回動を停止する。なお、基部１０にはバネ等の弾性部材１４が取り付けられており、切り欠き部１３ａの端面１３ｃが内周部１２の突部１２ａに当接する方向へ常に付勢されており（前板部２０が略垂直に立ち上がる状態に維持される。）、人体を支持する状態における圧力が解除されると、切り欠き部１３ａの端面１３ｃが内周部１２の突部１２ａに当接する状態に自動的に復帰する。
【００２０】
（連結部３０）
支持部は連結部３０を有する。連結部３０は、基部１０と前板部２０とを連結する。
連結部３０は、薄板状の部材であり、基部１０と一体的に形成され、前方向（前板部２０の方向）に延びる左右一対の腕板部３１ａ（３１ａ´）と、支持軸３２ａ、３２ｂとを有する。
腕板部３１ａ（３１ａ´）は互いに左右方向に対向し、支持軸３２ａ、３２ｂを挿通する軸孔が形成される。
支持軸３２ａ、３２ｂは小径の棒状体であり、腕板部３１ａ（３１ａ´）の軸孔に挿入され、腕板部３１ａ（３１ａ´）の軸孔で支持される。
【００２１】
（前板部２０）
前板部２０はその前面において人体を直接的に支持する。
前板部２０は、偏平な箱状の部材であり、腕板部３１ａ（３１ａ´）を挿入する一対の縦溝２１ａ（２１ａ´）と、支持軸３２ａ、３２ｂを挿入する横溝２２ａ、２２ｂとを有し、支持軸３２ａ、３２ｂが上下方向に移動可能な空間２３が形成される。
移動空間２３は、後面部２３ａと前面部２３ｂによって形成され、高さの異なる（上下位置の異なる）複数の係止溝部２３ｄと、平坦部２３ｃとを有する。
縦溝２１ａ（２１ａ´）は前板部２０の両端付近に形成されており、縦溝２１ａ（２１ａ´）に対して腕板部３１ａ（３１ａ´）が挿入される。他方、支持軸３２ａ、３２ｂは、腕板部３１ａ（３１ａ´）に穿孔された軸孔及び横溝２２ａ、２２ｂの両者を貫通する。そして、支持軸３２ａを前板部２０の係止溝部２３ｄに係止し、支持軸３２ｂを背面部２３ａと平坦部２３ｃとの間に挟持する。この状態にて、前板部２０は連結部３０を介して基部１０に連結される。
【００２２】
前板部２０を上下方向に移動して高さを調整するには、前板部２０を若干上方向に移動させた後、手前方向に傾斜させて支持軸３２ａと係止溝部２３ｄの係止状態を解除し、その状態で前板部２０を上斜方向に移動した後、所望の位置に対応する係止溝部に支持軸３２ａを再び係止する。
【００２３】
（縦枠部）
縦枠部は、横枠部に連結して一体的になるものであり、既設の水回り設備の扉部又は引き出し部と、隣り合う他の扉部又は引き出し部との間隙に挿入されるものであり、人体支持装置を既設水回り設備に保持するためのものである。
【００２４】
本実施例の縦枠部は、前片部４１ａ（４１ａ´）と後片部４１ｂ（４１ｂ´）を有する（括弧内は左右一対のうちの他方を示す）。
前片部４１ａ（４１ａ´）は薄板状の部材であり、その前端は強度性を考慮した断面円状に形成される。また、前片部４１ａ（４１ａ´）の上端付近は、強度性を考慮して、前方向に突出させて幅厚（前後幅を上端以外の部分よりも大きくしている。）に形成される。
【００２５】
前片部４１ａは、既設水回り設備の扉部Ａ１と他の隣り合う扉部Ａ２の間隙Ｓ１に挿入され、扉部Ａ１の側面と他の扉部Ａ２の側面との間で保持される（同様に、前片部４１ａ´は引き出し部Ａ４と扉部Ａ３の間隙Ｓ１´に挿入され、引き出し部Ａ４の側面と扉部Ａ３の側面との間で保持される。）。
【００２６】
後片部４１ｂ（４１ｂ´）は、前片部４１ａ（４１ａ´）の後方で直交する方向に一体的に形成された薄板状の部材である。後片部４１ｂ（４１ｂ´）は既設水回り設備内部の縦板Ｂの横方向の厚みＢＤに収まる幅（左右幅）を有する板状の部材である。特に本実施例では、既設水回り設備の扉部Ａ１等と他の扉部Ａ２等の間隙Ｓ１（Ｓ１´）に収まる幅（左右幅）である。そして、後片部４１ｂ（４１ｂ´）は前片部４１ａ（４１ａ´）を境に左右に分割され、分割されたそれぞれに回動片４１ｃ（４１ｃ´）を有する。一対の回動片４１ｃ（４１ｃ´）は長辺と短辺を有する矩形状の部材であり、四隅のうち一つを円弧状に面取りしており、後片部４１ｂ（４１ｂ´）の上端側に取り付けられる。回動片４１ｃ（４１ｃ´）は後片部４１ｂ（４１ｂ´）に軸を介して回動可能に取り付けられ、垂直方向から水平方向へと回動可能である。水平方向においては、回動片４１ｃ（４１ｃ´）の短辺と前片部４１ａ（４１ａ´）の側面が当接することにより、水平方向の状態を維持する。なお、回動片４１ｃ（４１ｃ´）の短辺幅は、後片部４１ｂ（４１ｂ´）のうち前片部４１ａ（４１ａ´）によって左右に分割された一方の幅に略等しい。
【００２７】
回動片４１ｃは既設水回り設備の扉部Ａ１と他の扉部Ａ２の後面と、既設水回り設備内部の縦板Ｂの前面との間隙Ｓ２に挿入され、扉部Ａ１及び他の扉部Ａ２の後面と、縦板Ｂの前面の間に保持される（同様に、４１ｃ´は既設水回り設備の引き出し部Ａ４と扉部Ａ３の後面と、既設水回り設備内部の縦板Ｂ´の前面との間隙Ｓ２´に挿入され、引き出し部Ａ４及び扉部Ａ３の後面と、縦板Ｂ´の前面の間に保持される）。
【００２８】
この状態により、回動片４１ｃ（４１ｃ´）は縦枠部の前後方向の移動を妨げて、人体保持装置を既設水回り設備に保持する。つまり、縦枠部の後方移動は、回動片４１ｃ（４１ｃ´）の後面と縦板Ｂ（Ｂ´）の前面とが当接することによって阻止され、縦枠部の前方移動は、回動片４１ｃ（４１ｃ´）の前面と扉部の後面とが当接することによって阻止される。
【００２９】
他方、この状態により、前片部４１ａ（４１ａ´）は縦枠部の左右方向の移動を妨げて、人体保持装置を既設水回り設備に保持する。つまり、縦枠部の左右移動は、前片部４１ａ（４１ａ´）の側面と扉部等の側面とが当接することによって阻止される。
【００３０】
このようにして、本実施例の人体保持装置は、既設水周り設備に取り付けるので、たとえば釘や螺子などを用いる必要がなく取り付け作業が容易であり、既設水回り設備を損傷する恐れもなく非常に好ましい。また、扉部等と他の扉部等との間隙に挿入することによって取り付けるので、既設水回り設備内部の収納スペースを縮小するような悪影響を及ぼすこともない。さらに、回動片を垂直に向けた状態、即ち左右幅が既設水回り装置の扉部等と他の扉部等との間に生じる間隙よりも小さな状態にできるので、前記間隙に挿入する際、既設水回り装置の前方からそのまま挿入できる。そして、挿入後は回動片を水平に向けた状態、即ち左右幅が既設水回り装置の扉部等と他の扉部等との間に生じる間隙よりも大きな状態にできるので、回動片は扉部等と縦板の前面との間隙に挿入・挟持されることにより、縦枠部の前後方向の移動が妨げられ、人体保持装置を既設水回り設備に保持するのである。
【００３１】
なお、既設水回り設備内の縦板Ｂ（Ｂ´）は、扉部又は引き出し部と、それと隣り合う他の扉部又は引き出し部が取り付けられる縦板であり、既設水回り設備内部を仕切る仕切板である。また、扉と縦板との間にはパッキンＰが取り付けられている。
【００３２】
また、本実施例では、後片部に回動片を取り付けたが、回動片を用いることなく、後片部の左右幅を大きくすることで代替することもできる。この場合は、一方の後片部は既設水回り設備の扉部及び他の扉部の後面と、既設水回り設備内部の縦板の前面との間隙に挿入され、扉部及び他の扉部の後面と、縦板の前面の間に保持される（同様に、他方の後片部は既設水回り設備の引き出し部又は扉部の後面と、既設水回り設備内部の縦板の前面との間隙に挿入され、引き出し部及び扉部の後面と、縦板の前面の間に保持される）。この状態により、後片部は縦枠部の前後方向の移動を妨げて、人体保持装置を既設水回り設備に保持する。つまり、縦枠部の後方移動は、後片部の後面と縦板の前面とが当接することによって阻止され、縦枠部の前方移動は、後片部の前面と扉部の後面とが当接することによって阻止される。
【００３３】
また、本実施例では、前片部と後片部とは一体に形成された断面略Ｔ字状の部材であるが、これは断面略Ｌ字状の部材にすることも可能である。
【００３４】
次に、本実施例の縦枠部は、上記に加え、台板部４１ｄ（４１ｄ´）と受板部４２（４２´）とを有する。
台板部４１ｄ（４１ｄ´）は、前片部４１ａ（４１ａ´）の上端に一体的に形成され水平面を形成する板状部材である。台板部４１ｄ（４１ｄ´）には、断面Ｌ字状の受板部４２（４２´）の取り付け位置（前後方向の位置）を調整する留め孔４１ｅが複数個形成される。
【００３５】
受板部４２（４２´）は、台板部４１ｄ（４１ｄ´）の水平面（上面）に取り付ける部材である。受板部４２（４２´）は、台板部４１ｄ（４１ｄ´）の上面に載置される取付部４２ａ（４２ａ´）と、横枠部の横棒部５１を受ける穿孔部４２ｂ（４２ｂ´）からなる。なお、受板部４２（４２´）の後端面には、横枠部の枠板部５２が当接しており、枠板部５２は受板部４２（４２´）の前後方向の位置ズレを防止する。また、台板部４１ｄ（４１ｄ´）と受板部４２（４２´）とは、化粧カバーによって覆われる。
【００３６】
（横枠部）
横枠部は、一対の縦枠部の間に設けられ、人体を支持する支持体を移動可能に取り付けられる。
本実施例の横枠部は横棒部５１と枠板部５２とを有する。横棒部５１は横長の円筒状部材である。横棒部５１の両端は縦枠部の穿孔部４２ｂ（４２ｂ´）に挿入されて螺子５１ａで固定される。横棒部５１には支持部が横方向に移動可能に取り付けられる。
枠板部５２は断面Ｌ字状の部材であり、その両端部において縦枠部の台板部４１ｄ（４１ｄ´）に取り付けられ固定される。枠板部５２は側部５２ａと底部５２ｂを有し、底部５２ｂは既設水回り設備の天板Ｃと扉Ａ１等の上面との間Ｓ３に位置する。
【００３７】
（下枠部）
下枠部は、横枠部と上下方向に対向する部材６０であり、左右方向に対向する一対からなる縦枠部の間に形成される。下枠部は、既設水回り設備の扉部又は引き出し部の下面と床面との間に嵌め込むように（嵌合するように）して設置する。
【００３８】
（踏板部）
踏板部は、下枠部の底面に取り付けられ、床面に平行に載置される部材７０である。人体支持装置の取り付け状態の安定性に寄与する。
また、既設水回り設備で作業する人はこの踏板部の上面に立って作業を行うことから、人の自重による安定性がある。
また、踏板部の裏面（床面との接触面）や表面（人体の足裏との接触面）には、滑り止め加工として、例えば凹凸加工を施すこともできる。
【００３９】
なお、図５中のＬ１及びＬ２は約１５ｍｍ、Ｌ３及びＬ５は約８ｍｍ、Ｌ４は約１０ｍｍ、Ｌ６は約３ｍｍ、Ｌ７は約２ｍｍ（Ｓ２は約５ｍｍ）、Ｌ８は約２０ｍｍ、Ｌ９及びＬ１０は９ｍｍ、Ｓ１は約１２ｍｍ、Ｓ３は約１０ｍｍである。
【実施例２】
【００４０】
実施例２に係る人体支持装置を図７〜８に示す。
実施例２は、実施例１と比較して、支持部の構成が異なるものである（その他の構成は実施例１と同様である。）。
【００４１】
（実施例２の支持部について）
支持部は、横棒部５１に対して横方向に移動可能に取り付けられ、且つ、横棒部５１に対して上下方向に移動ないし伸縮可能である。
本実施例の支持部は、基部８０と、人体を直接的に支持する外側部９０と、外側部９０の内方に挿入され上下に移動可能な内側部１００とを有する。
【００４２】
（基部８０）
基部８０は、横棒部５１に対して、横棒部５１の外周面を横方向に摺動するように取り付けられる。基部８０は、内周部８２と外周部８３とを有する。内周部８２は、内回りを防止する凹部８２ｃを有し、その凹部８２ｃには横棒部５１の凸部が嵌合している。また、内周部８２は外方向に開口した凹部８２ａ、８２ｂを有する（なお、凹部の数に制限はない）。他方、外周部８３は切り欠き部８３ａを有する。
基部８０は、外周部８３の切り欠き部８３ａと内周部８２の凹部８２ａ又は８２ｂの位置が一致するようにして取り付ける。そして、切り欠き部８３ａと凹部８２ａ又は８２ｂに対してバネ等の弾性部材８４の先端８４ａが挿入され、その先端８４ａは凹部８２ａ又は８２ｂに挿入して嵌合する。
【００４３】
支持部８０の角度の変更は、先端８４ａの嵌合位置を凹部８２ａから８２ｂ（又はその逆）に変更することにより行う。バネ等の弾性部材８４の他端８４ｂを下方向に押圧すると、先端８４ａと凹部８２ａ又は８２ｂとの嵌合が解除される。その後、外周部８３を回動することにより、外周部８３の欠き部８３ａと所望の凹部８２ａ又は８２ｂを一致させ、弾性部材８４の他端８４ｂの押圧を解除し、先端８４ａを所望の凹部８２ａ又は８２ｂに嵌合させる。
【００４４】
（外側部９０、内側部１００）
外側部９０は、人体を直接支持する偏平な筒状の部材である。外側部９０の内方には、外側部９０の内面を摺動する内側部１００が挿入されており、内側部１００も人体を直接支持する偏平な筒状の部材であり、上下方向に移動自在である。
外側部９０はその側面に一対の開口部９０ａ（９０ａ´）を有する。一対の開口部９０ａ（９０ａ´）には、細長円筒状の支持軸９０ｂが挿入されており、支持軸９０ｂの両端には、支持軸９０ｂの抜け出しを防止する一対の止具９０ｃ（９０ｃ´）が取り付けられる。
内側部１００は、その側面に一対の縦長開口部１００ａ（１００ａ´）を有する。縦長開口部１００ａ（１００ａ´）は、複数の一対の係止溝部１００ｂ（１００ｂ´）を有する。
【００４５】
外側部９０の一対の開口部９０ａ（９０ａ´）と、一対の係止溝部１００ｂ（１００ｂ´）が水平方向に一致する位置において、両者を貫通するように挿入し、挿入した支持軸９０ｂの両端を、係止溝部１００ｂ（１００ｂ´）に係止する共に、支持軸９０ｂの両端を止具９０ｃ（９０ｃ´）により挟持することにより、外側部９０に対して内側部１００が所定位置に固定される。
【００４６】
内側部１００を上下方向に移動するには、止具９０ｃ（９０ｃ´）を取り外し、支持軸９０ｂを移動させて係止溝部１００ｂ（１００ｂ´）との係止状態を解除し、所望の高さに調整した後、それに対応する一対の係止溝部に支持軸９０ｂを係止することにより行う。
【図面の簡単な説明】
【００４７】
【図１】本発明実施例１の全体斜視図及び一部拡大斜視図（流し台）
【図２】本発明実施例１の一部分解斜視図
【図３】本発明実施例１の一部断面図
【図４】本発明実施例１の一部断面図
【図５】本発明実施例１の一部断面図
【図６】本発明実施例１の全体斜視図（洗面化粧台）
【図７】本発明実施例２の全体斜視図及び一部拡大斜視図（流し台）
【図８】本発明実施例２の一部拡大斜視図及び断面図
【符号の説明】
【００４８】
１０  基部（支持部）
２０  前板部（支持部）
３０  連結部（支持部）
４１ａ  前片部
４１ｂ  後片部
５１  横棒部（横枠部）
６０  下枠部
７０  踏板部
【図１】
2007282647.tif 000003
【図２】
2007282647.tif 000004
【図３】
2007282647.tif 000005
【図４】
2007282647.tif 000006
【図５】
2007282647.tif 000007
【図６】
2007282647.tif 000008
【図７】
2007282647.tif 000009
【図８】
2007282647.tif 000010
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
人体を支持する支持部と、支持部を設けた横枠部と、横枠部に連結する縦枠部と、縦枠部に連結する下枠部と、床面に載置する踏板部とを有する人体支持装置であって、縦枠部は、既設水回り設備の扉部又は引き出し部と隣り合う他の扉部又は引き出し部との間隙に収まる前片部と、既設水回り設備内部の縦板の前面と扉部又は引き出し部の後面との間隙に収まる後片部とを有し、前片部を既設水回り設備の扉部又は引き出し部と他の扉部又は引き出し部との間隙に挿入すると共に、後片部を既設水回り設備内部の縦板の前面と扉部又は引き出し部の後面との間隙に挿入し、下枠部を既設水回り設備の扉部又は引き出し部の下面と床面との間に設置することにより取り付けることを特徴とする人体支持装置。
【請求項２】
人体を支持する支持部と、支持部を設けた横枠部と、横枠部に連結する縦枠部と、縦枠部に連結する下枠部と、床面に載置する踏板部とを有する人体支持装置であって、支持部は上下方向に移動可能であり、縦枠部は、既設水回り設備の扉部又は引き出し部と隣り合う他の扉部又は引き出し部との間隙に収まる前片部と、既設水回り設備内部の縦板の前面と扉部又は引き出し部の後面との間隙に収まる回動片を有する後片部とを有し、前片部を既設水回り設備の扉部又は引き出し部と他の扉部又は引き出し部との間隙に挿入すると共に、回動片を既設水回り設備内部の縦板の前面と扉部又は引き出し部の後面との間隙に挿入し、下枠部を既設水回り設備の扉部又は引き出し部の下面と床面との間に設置することにより取り付けることを特徴とする人体支持装置。